(57)【特許請求の範囲】
【請求項１】
ワイヤレス通信システム内のオリジネーティング通信デバイスにおいて、与えられたサーバによって調停された通信セッションをセットアップする方法であって、
少なくとも１つのターゲット通信デバイスとの通信セッションを開始するために、前記与えられたサーバに対して呼び出しリクエストを送信することと；
前記呼び出しリクエストと共に、セッション記述リクエストを送信することと、なお、前記セッション記述リクエストは、前記少なくとも１つのターゲット通信デバイスに対して前記通信セッションをアナウンスするための呼び出しアナウンスメッセージに加え、前記与えられたサーバから前記少なくとも１つのターゲット通信デバイスに対して送信されるべきアラートデータをリクエストし、前記アラートデータは、前記通信セッションの性質を説明している、前記オリジネーティング通信デバイスからのテキストメッセージ、オーディオメディア、及び／または、ビデオメディア、を備える；
を備え、
前記少なくとも１つのターゲット通信デバイスに対して前記呼び出しアナウンスメッセージを受諾するように前記与えられたサーバが強要することをリクエストする、前記呼び出しリクエストメッセージを構成すること、
をさらに備えている、
方法。
【請求項２】
ワイヤレス通信システム内で、与えられたサーバによって調停された通信セッションをセットアップする方法であって、
少なくとも１つのターゲット通信デバイスとの通信セッションを開始するために、オリジネーティング通信デバイスから、呼び出しリクエストを受信することと；
前記呼び出しリクエストと共に、セッション記述リクエストを受信することと、なお、前記セッション記述リクエストは、前記少なくとも１つのターゲット通信デバイスに対して前記通信セッションをアナウンスするための呼び出しアナウンスメッセージに加え、前記与えられたサーバから前記少なくとも１つのターゲット通信デバイスに対して送信されるべきアラートデータをリクエストし、前記アラートデータは、前記通信セッションの性質を説明している、前記オリジネーティング通信デバイスからのテキストメッセージ、オーディオメディア、及び／または、ビデオメディア、を備える；
前記少なくとも１つのターゲット通信デバイスに対して前記呼び出しアナウンスメッセージと前記アラートデータとを送信することと；
を備え、
前記少なくとも１つのターゲット通信デバイスに対して前記呼び出しアナウンスメッセージを受諾するように前記与えられたサーバが強要することをリクエストする、前記呼び出しリクエストメッセージが構成される場合には、
前記少なくとも１つのターゲット通信デバイスに対して前記呼び出しアナウンスメッセージを受諾するように強要するように、前記呼び出しアナウンスメッセージを構成すること、
をさらに備えている、
方法。
【請求項３】
ワイヤレス通信システム内のターゲット通信デバイスにおいて、与えられたサーバによって調停される通信セッションをセットアップする方法であって、
前記与えられたサーバから、オリジネーティング通信デバイスによってオリジネートされた通信セッションをアナウンスする、呼び出しアナウンスメッセージを受信することと；
前記アナウンスされた通信セッションと関連づけられたアラートデータを、前記呼び出しアナウンスメッセージと共に、受信することと、なお、前記アラートデータは、前記アナウンスされた通信セッションの性質を説明している、前記オリジネーティング通信デバイスからのテキストメッセージ、オーディオメディア、及び／または、ビデオメディア、を備える；
前記アナウンスされた通信セッションを前記ターゲット通信デバイスのユーザに通知することと；
前記通知と関連して前記ターゲット通信デバイスの前記ユーザに対して前記アラートデータを出力することと；
を備え、
前記ターゲット通信デバイスに対して前記呼び出しアナウンスメッセージを受諾するように強要するように、前記呼び出しアナウンスメッセージが構成される場合には、
前記呼び出しアナウンスメッセージを自動的に受諾すること、
をさらに備えている、
方法。
【請求項４】
ワイヤレス通信システム内で、与えられたサーバによって調停された通信セッションを開始するように構成されたオリジネーティング通信デバイスであって、
少なくとも１つのターゲット通信デバイスとの通信セッションを開始するために、前記与えられたサーバに対して呼び出しリクエストを送信するための手段と；
前記呼び出しリクエストと共に、セッション記述リクエストを送信するための手段と、なお、前記セッション記述リクエストは、前記少なくとも１つのターゲット通信デバイスに対して前記通信セッションをアナウンスするための呼び出しアナウンスメッセージに加え、前記与えられたサーバから前記少なくとも１つのターゲット通信デバイスに対して送信されるべきアラートデータをリクエストし、前記アラートデータは、前記通信セッションの性質を説明している、前記オリジネーティング通信デバイスからのテキストメッセージ、オーディオメディア、及び／または、ビデオメディア、を備える；
を備え、
前記少なくとも１つのターゲット通信デバイスに対して前記呼び出しアナウンスメッセージを受諾するように前記与えられたサーバが強要することをリクエストする、前記呼び出しリクエストメッセージを構成するための手段と、
をさらに備えている、
通信デバイス。
【請求項５】
ワイヤレス通信システム内で、通信セッションを調停するように構成されたサーバであって、
少なくとも１つのターゲット通信デバイスとの通信セッションを開始するために、オリジネーティング通信デバイスから、呼び出しリクエストを受信するための手段と；
前記呼び出しリクエストと共に、セッション記述リクエストを受信するための手段と、なお、前記セッション記述リクエストは、前記少なくとも１つのターゲット通信デバイスに対して前記通信セッションをアナウンスするための呼び出しアナウンスメッセージに加え、前記サーバから前記少なくとも１つのターゲット通信デバイスに対して送信されるべきアラートデータをリクエストし、前記アラートデータは、前記通信セッションの性質を説明している、前記オリジネーティング通信デバイスからのテキストメッセージ、オーディオメディア、及び／または、ビデオメディア、を備える；
前記少なくとも１つのターゲット通信デバイスに対して前記呼び出しアナウンスメッセージと前記アラートデータとを送信するための手段と、
を備え、
前記少なくとも１つのターゲット通信デバイスに対して前記呼び出しアナウンスメッセージを受諾するように前記サーバが強要することをリクエストする、前記呼び出しリクエストメッセージが構成される場合には、
前記少なくとも１つのターゲット通信デバイスに対して前記呼び出しアナウンスメッセージを受諾するように強要するように、前記呼び出しアナウンスメッセージを構成するための手段、
をさらに備えている、
サーバ。
【請求項６】
ワイヤレス通信システム内で、与えられたサーバによって調停される通信セッションに参加するように構成されたターゲット通信デバイスであって、
前記与えられたサーバから、オリジネーティング通信デバイスによってオリジネートされた通信セッションをアナウンスする、呼び出しアナウンスメッセージを受信するための手段と；
前記アナウンスされた通信セッションと関連づけられたアラートデータを、前記呼び出しアナウンスメッセージと共に、受信するための手段と、なお、前記アラートデータは、前記アナウンスされた通信セッションの性質を説明している、前記オリジネーティング通信デバイスからのテキストメッセージ、オーディオメディア、及び／または、ビデオメディア、を備える；
前記アナウンスされた通信セッションを前記ターゲット通信デバイスのユーザに通知するための手段と；
前記通知と関連して前記ターゲット通信デバイスの前記ユーザに対して前記アラートデータを出力するための手段と；
を備え、
前記１つのターゲット通信デバイスに対して前記呼び出しアナウンスメッセージを受諾するように強要するように、前記呼び出しアナウンスメッセージが構成される場合には、  前記呼び出しアナウンスメッセージを自動的に受諾するための手段、
をさらに備えている、
通信デバイス。
【請求項７】
ワイヤレス通信システム内で、与えられたサーバによって調停された通信セッションを開始するように構成されたオリジネーティング通信デバイスであって、
少なくとも１つのターゲット通信デバイスとの通信セッションを開始するために、前記与えられたサーバに対して呼び出しリクエストを送信するように構成された論理と；
前記呼び出しリクエストと共に、セッション記述リクエストを送信するように構成された論理と、なお、前記セッション記述リクエストは、前記少なくとも１つのターゲット通信デバイスに対して前記通信セッションをアナウンスするための呼び出しアナウンスメッセージに加え、前記与えられたサーバから前記少なくとも１つのターゲット通信デバイスに対して送信されるべきアラートデータをリクエストし、前記アラートデータは、前記通信セッションの性質を説明している、前記オリジネーティング通信デバイスからのテキストメッセージ、オーディオメディア、及び／または、ビデオメディア、を備える；
を備え、
前記少なくとも１つのターゲット通信デバイスに対して前記呼び出しアナウンスメッセージを受諾するように前記与えられたサーバが強要することをリクエストする、前記呼び出しリクエストメッセージを構成するように構成された論理、
をさらに備えている、
通信デバイス。
【請求項８】
ワイヤレス通信システム内で通信セッションを調停するように構成されたサーバであって、
少なくとも１つのターゲット通信デバイスとの通信セッションを開始するために、オリジネーティング通信デバイスから、呼び出しリクエストを受信するように構成された論理と；
前記呼び出しリクエストと共に、セッション記述リクエストを受信するように構成された論理と、なお、前記セッション記述リクエストは、前記少なくとも１つのターゲット通信デバイスに対して前記通信セッションをアナウンスするための呼び出しアナウンスメッセージに加え、前記サーバから前記少なくとも１つのターゲット通信デバイスに対して送信されるべきアラートデータをリクエストし、前記アラートデータは、前記通信セッションの性質を説明している、前記オリジネーティング通信デバイスからのテキストメッセージ、オーディオメディア、及び／または、ビデオメディア、を備える；
前記少なくとも１つのターゲット通信デバイスに対して前記呼び出しアナウンスメッセージと前記アラートデータを送信するように構成された論理と；
を備え、
前記少なくとも１つのターゲット通信デバイスに対して前記呼び出しアナウンスメッセージを受諾するように前記サーバが強要することをリクエストする、前記呼び出しリクエストメッセージが構成される場合には、
前記少なくとも１つのターゲット通信デバイスに対して前記呼び出しアナウンスメッセージを受諾するように強要するように、前記呼び出しアナウンスメッセージを構成するように構成された論理、
をさらに備えている、
サーバ。
【請求項９】
ワイヤレス通信システム内の与えられたサーバによって調停される通信セッションに参加するように構成されたターゲット通信デバイスであって、
前記与えられたサーバから、オリジネーティング通信デバイスによってオリジネートされた通信セッションをアナウンスする、呼び出しアナウンスメッセージを受信するように構成された論理と；
前記アナウンスされた通信セッションと関連づけられたアラートデータを、前記呼び出しアナウンスメッセージと共に、受信するように構成された論理と、なお、前記アラートデータは、前記アナウンスされた通信セッションの性質を説明している、前記オリジネーティング通信デバイスからのテキストメッセージ、オーディオメディア、及び／または、ビデオメディア、を備える；
前記アナウンスされた通信セッションを前記ターゲット通信デバイスのユーザに通知するように構成された論理と；
前記通知と関連して前記ターゲット通信デバイスの前記ユーザに対して前記アラートデータを出力するように構成された論理と；
を備え、
前記１つのターゲット通信デバイスに対して前記呼び出しアナウンスメッセージを受諾するように強要するように、前記呼び出しアナウンスメッセージが構成される場合には、
前記呼び出しアナウンスメッセージを自動的に受諾するように構成された論理、
をさらに備えている、
通信デバイス。
【請求項１０】
符号化された命令を含んでいるコンピュータ可読記憶媒体であって、
前記命令は、ワイヤレス通信システム内で、与えられたサーバによって調停された通信セッションを開始するように構成されたオリジネーティング通信デバイスによって実行されるときに、前記オリジネーティング通信デバイスにオペレーションを実行させ、
前記命令は、
少なくとも１つのターゲット通信デバイスとの通信セッションを開始するために、前記与えられたサーバに対して呼び出しリクエストを送信するプログラムコードと；
前記呼び出しリクエストと共に、セッション記述リクエストを送信するプログラムコードと、なお、前記セッション記述リクエストは、前記少なくとも１つのターゲット通信デバイスに対して前記通信セッションをアナウンスするための呼び出しアナウンスメッセージに加え、前記与えられたサーバから前記少なくとも１つのターゲット通信デバイスに対して送信されるべきアラートデータをリクエストし、前記アラートデータは、前記通信セッションの性質を説明している、前記オリジネーティング通信デバイスからのテキストメッセージ、オーディオメディア、及び／または、ビデオメディア、を備える；
を備え、
前記コンピュータ可読記憶媒体は、
前記少なくとも１つのターゲット通信デバイスに対して前記呼び出しアナウンスメッセージを受諾するように前記与えられたサーバが強要することをリクエストする、前記呼び出しリクエストメッセージを構成するプログラムコード、
をさらに備えている、
コンピュータ可読記憶媒体。
【請求項１１】
符号化された命令を含んでいるコンピュータ可読記憶媒体であって、前記命令は、ワイヤレス通信システム内の通信セッションを調停するように構成されたサーバによって実行されるときに、前記サーバにオペレーションを実行させ、
前記命令は、
少なくとも１つのターゲット通信デバイスとの通信セッションを開始するために、オリジネーティング通信デバイスから、呼び出しリクエストを受信するプログラムコードと；
前記呼び出しリクエストと共に、セッション記述リクエストを受信するプログラムコードと、なお、前記セッション記述リクエストは、前記少なくとも１つのターゲット通信デバイスに対して前記通信セッションをアナウンスするための呼び出しアナウンスメッセージに加え、前記サーバから前記少なくとも１つのターゲット通信デバイスに対して送信されるべきアラートデータをリクエストし、前記アラートデータは、前記通信セッションの性質を説明している、前記オリジネーティング通信デバイスからのテキストメッセージ、オーディオメディア、及び／または、ビデオメディア、を備える；
前記少なくとも１つのターゲット通信デバイスに対して前記呼び出しアナウンスメッセージと前記アラートデータを送信するプログラムコードと；
を備えており、
前記少なくとも１つのターゲット通信デバイスに対して前記呼び出しアナウンスメッセージを受諾するように前記サーバが強要することをリクエストする、前記呼び出しリクエストメッセージが構成される場合には、
前記コンピュータ可読記憶媒体は、
前記少なくとも１つのターゲット通信デバイスに対して前記呼び出しアナウンスメッセージを受諾するように強要するように、前記呼び出しアナウンスメッセージを構成するプログラムコード、
をさらに備える、
コンピュータ可読記憶媒体。
【請求項１２】
符号化された命令を含んでいるコンピュータ可読記憶媒体であって、
前記命令は、ワイヤレス通信システム内で、与えられたサーバによって調停された通信セッションに参加するように構成されたターゲット通信デバイスによって実行されるとき、前記ターゲット通信デバイスにオペレーションを実行させ、
前記命令は、
前記与えられたサーバから、オリジネーティング通信デバイスによってオリジネートされた通信セッションをアナウンスする、呼び出しアナウンスメッセージを受信するプログラムコードと；
前記アナウンスされた通信セッションと関連づけられたアラートデータを、前記呼び出しアナウンスメッセージと共に、受信するプログラムコードと、なお、前記アラートデータは、前記アナウンスされた通信セッションの性質を説明している、前記オリジネーティング通信デバイスからのテキストメッセージ、オーディオメディア、及び／または、ビデオメディア、を備える；
前記アナウンスされた通信セッションを前記ターゲット通信デバイスのユーザに通知するプログラムコードと；
前記通知と関連して前記ターゲット通信デバイスの前記ユーザに対して前記アラートデータを出力するプログラムコードと；
を備え、
前記１つのターゲット通信デバイスに対して前記呼び出しアナウンスメッセージを受諾するように強要するように、前記呼び出しアナウンスメッセージが構成される場合には、
前記コンピュータ可読記憶媒体は、
前記呼び出しアナウンスメッセージを自動的に受諾するプログラムコード、
をさらに備えている、
コンピュータ可読記憶媒体。
【発明の詳細な説明】
【優先権主張】
【０００１】
(米国特許法第１１９条の下の優先権主張)
本願は、２００８年５月２７日に出願された、「初期通信ブリッジ試みの際にターゲット通信デバイスにおいてデータブロードキャストを通信するためのシステム及び方法(SYSTEM AND METHOD FOR COMMUNICATING DATA BROADCAST AT A TARGET COMMUNICATION DEVICE UPON AN INITIAL COMMUNICATION BRIDGE ATTEMPT)」と題された仮出願番号第61/056,395号への優先権を主張し、そしてそれは、ここでの譲受人に対して譲渡され、参照によってここに明示的に組み込まれている。
【発明の背景】
【０００２】
（１．発明の分野）
本発明の実施形態は、ワイヤレス通信システム内で通信セッションをセットアップすることに関する。
【０００３】
（２.関連技術の説明）
２台の電話間の電話呼び出しのような、２つの通信デバイス間でシンクロナス通信が望まれるとき、あるデバイスが通信を開始し、別のデバイスにコンタクトをとることによって接続をブリッジする(bridge)ことを試みることは一般的である。コンタクトされたデバイスは、ベルの音(ring)または他のオーディブルアラートのようなアラートをブロードキャストするであろう、また、別の通信デバイスが通信をブリッジすることを試みているということをデバイスの近くにいる人に通知するために、例えば点滅光またはディスプレイ上のアクティビティのようなビジュアルアラートを与えることもできる。
【０００４】
電話のシステムでは、発呼者の番号を示す「発呼者ｉｄ」としばしば呼ばれるある識別データと、呼出信号の間に、または、呼び出しがセットアップされているときに、しかし呼び出しが応じられる前に、呼び出し電話と関連づけられた名前のような他の識別情報データと、を送信することが一般的である。被呼者(called party)にとって利用可能になった情報は、電話上の、または、別個の付属デバイス上の、ディスプレイで可視化されうる。発呼者ＩＤ情報は、第３者の呼出番号と識別情報については操作されることができるが、そうでない場合には、意図された呼び出しブリッジ試みの性質について、呼び出された電話のユーザに対してより多くのデータを提供することができるより多くのデータを含むように修正されることができない。
【０００５】
また、ユーザが発呼者ｉｄ情報に基づいて着信(incoming call)の特定のリングトーン(ringtone)またはアラートを選択することを可能にする、固定電話またはモバイルデバイスのいずれかである特化された電話及び他の通信デバイスがある。これは、受信デバイスのユーザが電話または他の通信デバイスのアラートメカニズムを介して発呼者の識別情報を知ることを可能にするが、発呼者がリングトーンまたはアラートを操作することを可能にせず、また、通信をブリッジする着信リクエストの性質に関していずれの情報も与えない。
【発明の概要】
【０００６】
一実施形態では、ワイヤレス通信システム内のオリジネーティング通信デバイス(originating communication device)は、ターゲット通信デバイスとの通信セッションを開始するために、サーバに対して呼び出しリクエスト(call request)を送信し、また、その呼び出しリクエストと共に、セッション記述リクエスト(session description request)を送信する、なお、そのセッション記述リクエストは、少なくとも１つのターゲット通信デバイスに対し通信セッションをアナウンスするための呼び出しアナウンスメッセージ(call announce message)に加え、サーバからターゲット通信デバイスに対して送信されるべきアラートデータ(alerting data)をリクエストし、そのアラートデータは、通信セッションの性質を説明している(describing)。サーバは、ターゲット通信デバイスに対して、呼び出しアナウンスメッセージとアラートデータを送信する。ターゲット通信デバイスは、呼び出しアナウンスメッセージとアラートデータとを受信し、アナウンスされた通信セッションをターゲット通信デバイスのユーザに通知し、その通知と関連してターゲット通信デバイスのユーザにアラートデータを出力する。
【図面の簡単な説明】
【０００７】
【図１】図１は、着信してくる通信の試み(incoming communication attempt)と共にディスプレイされるターゲット通信デバイスに対してテキストメッセージをオリジネーティング通信デバイスが送信する、１組の通信デバイスの代表図である。
【図２Ａ】図２Ａは、データフレームのフル受信の際にターゲット通信デバイスがすべての情報をディスプレイするように、他の発呼者情報と共にアラートデータを含んでいるデータフレームの一実施形態である。
【図２Ｂ】図２Ｂは、図２Ａで示されているのと同様なデータフレームの一実施形態であるが、このデータフレームは、他の発信情報のディスプレイとアラートデータのブロードキャストの後で着信に回答するようにターゲット通信デバイスが強要される(forced)ための命令を含む。
【図３】図３は、グループ通信サーバと通信している指定されたＰＴＴグループのワイヤレステレコミュニケーションデバイスと、ワイヤレスネットワーク上の他のコンピュータデバイスと、を備えているワイヤレスネットワークの代表図である。
【図４】図４は、共通セルラテレコミュニケーション構成におけるワイヤレスネットワークの一実施形態の代表図であり、ＰＴＴグループメンバのワイヤレステレコミュニケーションデバイス間のグループ通信サーバ制御通信を有している。
【図５】図５は、ワイヤレステレコミュニケーションデバイスのコンピュータプラットフォームを図示しているブロック図であり、ここではＰＴＴ機能を備えて具現化され示されている。
【図６】図６は、ターゲット通信デバイスに対してＰＴＴ通信及びアラートデータを送信するＰＴＴグループにおけるオリジネーティング通信デバイスの一実施形態の呼び出しフロー図である。
【図７】図７は、ターゲット通信デバイスに対して、初期通信ブリッジ試みと共に、アラートデータを送信しているオリジネーティング通信デバイスのプロセスの一実施形態のフローチャートである。
【図８】図８は、図７のオリジネーティング通信デバイスとインタラクトしているターゲットワイヤレス通信デバイスにおけるプロセスの一実施形態のフローチャートであり、なお、ターゲット通信デバイスは、アラートデータをブロードキャストし、リクエストされる場合には、オリジネーティング通信デバイスに戻って即時通信ブリッジ(an immediate communication bridge)を強要するであろう。
【詳細な説明】
【０００８】
本発明の態様は、本発明の具体的な実施形態を対象とした、下記の説明と関連図面において開示されている。代替の実施形態は、本発明の範囲から逸脱することなく、考えられることができる。さらに、本発明のよく知られた構成要素は、本発明の関連する細部を曖昧にしないために、詳細に記載されない、または、省略される。
【０００９】
用語「例示的な(exemplary)」は、「例(example)、インスタンス(instance)、又は例証(illustration)として機能している」ことを意味するように、ここでは使用されている。「例示的な(exemplary)」としてここに説明されるいずれの実施形態も、他の実施形態よりも、好ましいまたは有利であるものとして、必ずしも解釈されない。同様に、用語「本発明の実施形態(embodiments of the invention)」は、本発明のすべての実施形態が記載された特徴、利益、またはオペレーションのモードを含むということを必要としていない。
【００１０】
ここにおいて使用される用語は、具体的な実施形態を説明するためだけであって、本発明の実施形態を制限するようには意図されていない。ここにおいて使用されているように、単数形「a」、「an」、そして「the」は、文脈で明示的に示されていない限り、複数形も含むように意図されている。用語「備える(comprises)」、「備えている(comprising)」、「含む(includes)」、及び／または、「含んでいる(including)」は、ここにおいて使用されるとき、上述された特徴、整数(integers)、ステップ、オペレーション、エレメント、及び／または、コンポーネントの存在を規定するが、１つまたは複数の他の特徴、整数、ステップ、オペレーション、構成要素、コンポーネント、及び／または、そのグループの存在または追加を除外するものではない、ということはさらに理解されるであろう。
【００１１】
さらに、多くの実施形態は、例えばコンピューティングデバイスの構成要素によって実行されるべき、動作のシーケンスの観点から説明されている。ここにおいて説明される様々な動作は、特定回路（例、特定用途向け集積回路(ＡＳＩＣ)）によって、１つまたは複数のプロセッサによって実行されているプログラム命令によって、または、それらの両方の組み合わせによって、実行されることができるということは理解されるであろう。さらに、ここにおいて説明されるこれらの動作のシーケンスは、コンピュータ可読記憶媒体のいずれの形態内で完全に具現化されることが考えられることができ、コンピュータ可読記憶媒体は、ここにおいて説明されている機能を関連プロセッサに実施の際に実行させる対応するセットのコンピュータ命令を保存している。したがって、本発明の様々な態様は、多数の異なる形式で具現化されてもよく、それらのすべては、特許請求された主題の事柄の範囲内にあるように考えられている。さらに、ここにおいて記載された実施形態のそれぞれについて、そのようないずれの実施形態の対応する形態は、例えば記載された動作を実行するように「構成された論理(logic configured to)」としてここにおいて記載されている。
【００１２】
本明細書においては、用語「通信装置(communication device)」、「ワイヤレスデバイス(wireless device)」、「ワイヤレス通信デバイス(wireless communications device)」、「ＰＴＴ通信デバイス(PTT communication device)」、「ハンドヘルドデバイス(handheld device)」、「モバイルデバイス(mobile device)」、また「ハンドセット(handset)」が互換性のあるように使用されている。用語「呼び出し(call)」と「ネットワーク(network)」もまた、しばしば互換性をもって使用される。ここにおいて使用される用語「アプリケーション(application)」は、実行可能な、また、実行不可能な、ソフトウェアファイル、生データ、アグリゲートされたデータ、パッチ(patches)、および他のコードセグメントを包含するように意図されている。用語「例示的な(exemplary)」は、開示された構成要素または実施形態は単なる一例であるということを意味しており、ユーザの優先度(preference)を示していない。さらに、同様な数字は、いくつかの図(views)全体にわたる同様な構成要素を指しており、また、詳細な説明において指定されていないかぎり、冠詞「a」と「the」は、複数の言及を含む。
【００１３】
従来、呼び出しがターゲット通信デバイスに対してアナウンスされると、ターゲット通信デバイスは、呼び出しオリジネータ(call originator)が通信セッションに従事したいということだけを通知されていた。ターゲット通信デバイスのユーザは、この時点で呼び出しに関連する任意のさらなる情報を必ずしも提供されない。ユーザは、呼び出しを受諾し、もっと通信セッションについて割り出すことができる、あるいは、呼び出しを拒絶し他の方法で、例えば発呼者にテキストメッセージを送信し発呼者が何を話したかったのかを問うことによって、呼び出しに関する情報を割り出すように試みることができる。本発明の実施形態は、呼び出しアナウンスメッセージと共に、ターゲット通信デバイスに対して、セッション記述情報、または、「アラートデータ(alerting data)」を提供することを対象としている（例えば、ターゲット通信デバイスのユーザが通信セッションを受諾するかどうかに関しより詳細な情報を得た上での決定を行うことを可能する、等）。
【００１４】
例えば、図１は、１組の通信デバイスの代表的な図であり、ここではモバイル電話１０とモバイル電話１２が示されており、呼び出しが「緊急呼び出し(Urgent Call)」であるということをここでは記している常駐ディスプレイ１８上で示されているテキストメッセージ、を準備しているオリジネーティング通信デバイス１８を備えている。オリジネーティングデバイス１０は、ここではボイス電話呼び出しである、初期通信ブリッジ試みと共に、ターゲット通信デバイス１２に対しテレコミュニケーションネットワーク１６を通じてテキストメッセージを送信する。テキストメッセージは、着信している通信の試みの受信時に、ターゲット通信デバイス１２の常駐ディスプレイ２０上でディスプレイされる。したがって、図１は、例示的な方法で、どのように、着信の性質(nature)を説明するアラートデータ（すなわち、「緊急呼び出し(Urgent Call)」）と共に着信通知が、呼び出しを受諾するかどうかに関しより詳細な情報を得た上での決定を被呼者またはターゲットユーザが行うことを可能にするために使用されることができるかを示している。
【００１５】
アラートデータは、テキスト、オーディオデータ(例えばトークスパート(talk spurt))、特化されたリングトーン、マルチメディア、または、着信の性質であるターゲットデバイス１２のユーザに情報を提供することができるいずれの他のデータ、であることができる。図２Ａと図２Ｂに関して下記で詳細に説明されているように、アラートデータは、呼び出しセットアップメッセージ内に含まれることができ、または、代替的には、通信セッションのために、ターゲットデバイス（単数または複数）に対して送信されるべきアラートデータのインデクスを呼び出しメッセージが参照だけすることを必要とするように、キャリアネットワーク内で保存され、インデクス付けされることができる。
【００１６】
テレコミュニケーションネットワーク１６は、いずれの、完全にまたは部分的な、ワイヤードまたはワイヤレスデータまたはボイスネットワークであることができ、アラートデータの送信を可能にする具体的な修正を必ずしも必要としない。オリジネーティング通信デバイスおよびターゲット通信デバイスの修正は、ここに定義されるような機能を達成するために使用されることができる。そうではない場合には、テレコミュニケーションネットワーク１６は、通信ブリッジ試みの直前に、通信ブリッジ試みの間に、または、通信ブリッジ試みの後で、アラートデータを提供するために、呼び出し試みプロトコルを提供するように修正されることができる。
【００１７】
ここにおいて使用されるように、用語「シンクロナス通信(synchronous communication)」は、すべての通信しているメンバ(communicating parties)からの、リアルタイム、または、実質的にはリアルタイムのインタラクション（例えば、ハーフデュプレクスとフルデュプレクスのインタラクションのいずれか）を必要とする通信として定義されている。ボイス通信は、シンクロナス通信の一例であるが、他のデータアプリケーション及び機能は、同期して実行されることができ、本システム及び本方法を利用することができる。さらに、ここにおいて示されている通信デバイス、例えばモバイル電話１０及び１２は、通常は互いにシンクロナス通信状態にないので、オリジネーティングデバイスは、１つまたは複数のターゲットデバイスとの通信をブリッジするように選択的に（一般的には、ユーザの制御時）試みるであろう。
【００１８】
図２Ａは、ターゲット通信デバイス（モバイル電話１２）がデータフレームのフル受信のときにすべての情報をディスプレイするように、他の発呼者情報、例えば呼び出し番号３４と発呼者識別情報３６、と共にアラートデータ３２を含むデータフレームＡの一実施形態である。データフレームは、データ保全性(data integrity)を保証するデータフレーム送信によく見られるように、フレーム３０の開始及びフレーム３８の終了の簡単なマーカーを含む。
【００１９】
図２Ｂは、図２ＡのデータフレームＡで示されているのと類似しているデータフレームＢの一実施形態であるが、このデータフレームＢは、アラートデータ４２を出力した後で、及び／または、呼び出し番号４４及び発呼者４８のような他の呼び出し情報をディスプレイした後で、着信に回答するようにターゲット通信デバイス（モバイル電話１２）が強要されるための強要された回答命令(forced answer instructions)５０を含む。データフレームＢは、単に説明を簡単にするために、フレーム４０の開始とフレーム５２の終了のためのシンプルマーカーを同様に含むが、それは、データフレーム構築の優先度を意味するように意図されていない。
【００２０】
したがって、概観では、ボイス呼び出し試みのような、初期通信ブリッジ試みのときに、オリジネーティング通信デバイス（モバイル電話１０）からターゲット通信デバイス（モバイル電話１２）へデータを通信するためのシステムが提供されている。システムは、１つまたは複数のターゲット通信デバイスとの通信セッションを選択的に開始するように（例、あるいはボイス呼び出しのようなシンクロナス通信をブリッジすることを試みる）構成された、モバイル電話１０または他の通信デバイス（例えば、ワイヤード電話、携帯情報端末、モバイルまたはデスクトップコンピュータプラットフォーム等）のようなオリジネーティング通信デバイスを含んでおり、そのオリジネーティング通信デバイスは、通信セッション開始試みの間にターゲット通信デバイスに対してアラートデータを選択的に送信するようにさらに構成されている。少なくとも１つのターゲット通信デバイス（例えばモバイル電話１２）は、そのユーザを有し、通信セッションをアナウンスするためのアナウンスメッセージを受信する際、アラートデータの受信の際にそのユーザに対して出力されるべきアラートデータ（例えば、オーディブル及び／またはビジュアルのいずれかで、ディスプレイまたは再生される）を選択的に可能にするように構成される。
【００２１】
図１で示されているように、オリジネーティング通信デバイスとターゲット通信デバイスは、ワイヤレス通信デバイスであることができ、通信セッション開始の試みは、ボイス電話呼び出しをセットアップする試みであることができる。図１で示されているように、ターゲット通信デバイス、モバイル電話１２は、ディスプレイ２０を含み、また、アラートデータは、ディスプレイ上で出力された（例えば、アラートデータがオーディオを含む場合、ターゲット通信デバイスのユーザに対してディスプレイ２０上でディスプレイされる、または、スピーカを介して出力される、等）メディア（例えばテキスト、ビデオ、オーディオ等）である。
【００２２】
一実施形態では、オリジネーティング通信デバイス（例えば、モバイル電話１０）は、通信セッションについての呼び出しアナウンスメッセージとアラートデータの受信のときに、ターゲット通信デバイス（モバイル電話１２）に対して、ターゲット通信デバイスのエンドユーザにアラートデータを出力するように選択的に強要するようにさらに構成されることができる。例えば、図２ＡのデータフレームＢがアラートデータの出力を強要するが、ターゲットデバイスまたはモバイル電話１２にアナウンスされた呼び出しを実際に受諾するように必ずしも強要しないのに対して、図２ＢのデータフレームＢは、モバイル電話１２に対して、アラートデータを出力するように、また、電話呼び出しに回答するように及び／またはオリジネーティングデバイスに戻って通信チャネルを開くように、強要するであろう。ターゲット通信デバイスは、オリジネーティングデバイスがアラートデータの出力を強要すること、または、オリジネーティングデバイスに戻って通信のブリッジを強要すること、ができる、できない、いずれにせよ、ユーザが制御することを可能にする設定を有することができる。言いかえれば、ターゲット通信デバイスは、（ｉ）アラートデータ出力の強要、または、（ｉｉ）呼び出し受諾の強要、のいずれかをオーバーライドすることができる。代替的に、システムは、アラートデータの出力（例、図２Ａ及び図２Ｂのデータフレームの場合）と呼び出し受諾（例、図２Ｂ）のいずれかに関する制御をターゲット通信デバイスが有さないように修正されることができる。
【００２３】
図３は、ワイヤレス電話６４、スマートページャ６６、及び携帯情報端末（ＰＤＡ）６８のようなＰＴＴグループ６２の１つまたは複数のワイヤレステレコミュニケーションデバイスに対し、ワイヤレスネットワーク７０上で他のワイヤレステレコミュニケーションデバイスを備えているグループ通信サーバ７４を用いたシステム６０の一実施形態を図示する。システム６０では、各ワイヤレステレコミュニケーションデバイス６４、６６、６８は、ターゲットセットの複数の１つまたは複数の他のワイヤレステレコミュニケーションデバイス(the one or more other wireless telecommunication devices of the target set)と、ワイヤレス通信ネットワーク７０上で選択的にダイレクト通信することができる。例えば、モバイル電話６４のためのターゲットセットは、通信グループ６２における全てのデバイス、または、そのサブセット、例えばページャ６６及びＰＤＡ６８、であることができる。
【００２４】
この実施形態では、グループ通信コンピュータデバイスは、ここではサーバ３７４として示されており、そしてそれは、ワイヤレスネットワーク７０上でサーバ側ＬＡＮ７２上に存在しており、ワイヤレスデバイスは、ワイヤレスネットワーク７０上で存在している、すなわちアクセス可能である、ということを示す。グループ通信コンピュータデバイス７４は、第１のワイヤレステレコミュニケーションデバイスによって指定されたターゲットワイヤレス通信テレコミュニケーションデバイスのセットとこの情報を共有することができる、あるいは、サーバ側ＬＡＮ７２上で常駐する、またはワイヤレスネットワーク７０上でアクセス可能である、他のコンピュータデバイスとそれを共有することもできる。グループ通信コンピュータデバイス７４は、ワイヤレスデバイスのためのグループ識別データを保存するために、付属またはアクセス可能なデータベース７６を有することができる。それは、サーバ側ＬＡＮ７２上で、または、ワイヤレスネットワーク７０上で、またはインターネットに常駐しているコンピュータコンポーネントの数は一般的に制限されないということは理解されるべきである。
【００２５】
ＰＴＴ通信のようなダイレクト通信は、通信しているワイヤレステレコミュニケーションデバイス６４、６６、６８と、ターゲットセットの１つまたは複数の他のワイヤレステレコミュニケーションデバイスとの間でハーフデュプレクスチャネルを通じて確立されることができる。グループ通信コンピュータデバイス７４はまた、ターゲットセットのワイヤレステレコミュニケーションデバイスのいずれも（または少なくとも１つ）ワイヤレスネットワーク７０上でそれらの存在をグループ通信コンピュータデバイス７４に通知しない場合には、ターゲットセット６２に対してダイレクト通信をブリッジすることができないということをワイヤレステレコミュニケーションデバイス６４、６６、６８に通知することができる。さらに、グループ通信コンピュータデバイス３２は、グループ識別データの付属データベース７６を有するものとしてここでは示されているが、グループ通信コンピュータデバイス７４は、常駐しているグループ識別データを有し、ここに説明されているすべてのストレージ機能を実行することができる。
【００２６】
したがって、図３で示される実施形態では、通信セッションを開始する試みは（すなわち、シンクロナス通信をブリッジする）、ページャ６６及びＰＤＡ６８のような、マルチプルターゲット通信デバイスに対するＰＴＴグループ６２のオリジネーティングメンバからのハーフデュプレクス・プッシュ・ツー・トーク通信試みである。ターゲット通信デバイスの各々は、オリジネーティング通信デバイスから同一アラートデータを受信し、アラートデータを出力するであろう（例えば、ターゲット通信デバイスの１つまたは複数がアラートデータの強要された出力をディスエイブルにするために具現化されないかぎり）。この実施形態において、ブリッジ試みは、オリジネーティングデバイスに戻るフルデュプレクスボイスチャネルのブリッジとは全く異なる、ターゲット通信デバイス（単数または複数）におけるハーフデュプレクス通信の受信である。しかしながら、オリジネーティング通信デバイスからのハーフデュプレクス送信で搬送されるボイスまたは他のデータは、遅延センシティブ(delay sensitive)である可能性があり（例えば、速い、及び／または、即時の配信を必要とする）、通信ブリッジ試みは、いまだなお、シンクロナス通信である。
【００２７】
さらに、図３の実施形態では、オリジネーティング通信デバイスから１つまたは複数のターゲット通信デバイスへの初期通信ブリッジ試みの際に１つまたは複数のターゲット通信デバイスに対して、特別化されたリングトーン、メディア、等のようなアラートデータを送信するために使用されることができるアラートデータデータベース７８が示されている。この実施形態では、オリジネーティング通信デバイス（例えば、モバイル電話６４）は、アラートデータのために使用することができるすべてのメディアまたはデータを保存する必要はなく、むしろ、オリジネーティング通信デバイスは、アラートデータがターゲット通信デバイス（単数または複数）に対して配信されることを指図するために、アラートデータデータベース７８とインタラクトすることができる。例えば、図２Ａと図２Ｂで示されているような、アラートデータフィールド３２及び／または４２は、通信セッションのためのアナウンスメッセージと関連して、ターゲット通信デバイス（単数または複数）に伝達されるべき実際のアラートデータの代わりに、アラートデータベース７８において保存される望ましいアラートデータのインデクスを含むことができる。したがって、オリジネーティング通信デバイスは、別のコンピュータデバイスからのアラートデータを期待するようにターゲット通信デバイス（単数または複数）に通知して、通信ブリッジ試み（すなわち、アナウンスメッセージ）と共に、ターゲット通信デバイス（単数または複数）に対して情報を送信することができる。代替的には、オリジネーティング通信デバイスは、アラートデータデータベース７８からデータを引くことができ、そして、データフレームまたは他のデータストリームへとデータを挿入することができるので、オリジネーティング通信デバイスは、ワイヤレスネットワーク７０上のアラートデータデータベース７８に、ターゲット通信デバイスと通信することを試みることと関連してデータを送信するように指図する。
【００２８】
グループ通信は、一般的には、通信グループ６２のメンバの中のハーフデュプレクス電話会議であるが、グループ通信は、ボイス、アプリケーション、グラフィックメディア、例えばＪＰＥＧ、ＴＩＦ、及び同様なもの、または、ＭＰ３、ＭＰ４、ＷＡＶ、および同様なもののようなオーディオファイルであることができる。メディアはまた、マルチメディアアプリケーション(Ｐｏｗｅｒｐｏｉｎｔ、ＭＯＶファイル、および同様なもの）のようなストリーミングメディアであることができる。
【００２９】
図４は、共通のセルラテレコミュニケーション構成におけるワイヤレスネットワークの１つの実施形態の代表的な図であり、ＰＴＴシステムにおけるセットグループメンバのワイヤレス通信デバイス（デバイス１００，１０２，１０４，１０６）間の通信を制御する一連のグループ通信コンピュータデバイス（グループ通信サーバ）７４を有する。ワイヤレスネットワークは、単なる例示であり、いずれのシステムを含むことができ、それによって、遠隔モジュールは、互いの間で、及び／または、限定されてはいないが、ワイヤレスネットワークキャリア及び／またはサーバを含むワイヤレスネットワーク７０のコンポーネントの間で、無線で通信する。一連のグループ通信サーバ７４は、グループ通信サーバＬＡＮ５０に接続される。ワイヤレス電話は、データ・サービス・オプションを使用するグループ通信サーバ（単数または複数）７４からパケット・データ・セッションをリクエストすることができる。また、サーバＬＡＮ８０に示されているのは、図３で記載されているのと同様なアラートデータデータベース７８である。
【００３０】
グループ通信サーバ（単数または複数）７４は、キャリアネットワーク８４上で常駐しているとここで示されている、ＰＳＤＮ８２のようなワイヤレスサービスプロバイダのパケットデータサービスノード（ＰＤＳＮ）に接続される。各ＰＳＤＮ８２は、パケット制御機能（ＰＣＦ）９２を通じて、基地局９０の基地局コントローラー９４とインタフェース接続することができる。ＰＣＦ８２は、一般的に基地局９０において位置づけられる。キャリアネットワーク８４は、モバイル交換センタ（「ＭＳＣ」）８８に対して送信されたメッセージを（一般的には、データパケットの形で）制御する。キャリアネットワーク８４は、ネットワーク、インターネット、及び／またはＰＯＴＳ（「プレイン通常電話システム(plain ordinary telephone system)」）と通信する。一般的には、キャリアネットワーク８４とＭＳＣ８８との間のネットワークまたはインターネット接続は、データを転送し、ＰＯＴＳは、ボイス情報を転送する。ＭＳＣ８８は、１つまたは複数の基地局９０に接続されることができる。キャリアネットワークと同様な方法で、ＭＳＣ８８は、ボイス情報についてのＰＯＴＳ及びデータ転送のためにネットワーク及び／またはインターネットの両方によって、基地トランシーバ局（時々「ブランチ・ツー・ソース」と呼ばれる）（ＢＴＳ）９６に一般的に接続される。ＢＴＳ９６は、ショート・メッセージ・サービス（「ＳＭＳ」）、または当技術分野において知られている他の無線方法(over-the-air methods)によって、メッセージを最終的にはワイヤレスで、ワイヤレスデバイスに対してブロードキャストし、ワイヤレスデバイスから受信する、なお、ワイヤレスデバイスは、例えば、セルラ電話１００，１０２，１０４，１０６である。キャリアバウンダリ及び／またはＰＴＴオペレータネットワークバウンダリは、ここにおいて記載されているようなデータの共有を抑制または禁止しない、ということもまた留意されるべきである。
【００３１】
ワイヤレス電話１００のような、セルラ電話およびモバイルテレコミュニケーションデバイスは、増大されたコンピューティング機能を備えて製造されており、パーソナルコンピュータおよびハンドヘルドＰＤＡと等しくなっている。これらの「スマート」セルラ電話は、ソフトウェア開発者がワイヤレスデバイスのプロセッサ上でダウンロード可能で、実行可能なソフトウェアアプリケーションを作成することを可能にする。セルラ電話１１０のようなワイヤレスデバイスは、ウェブページ、アプレット(applets)、ＭＩＤｌｅｔｓ、ゲーム、及びデータのような多くのタイプのアプリケーションをダウンロードすることができる。通信グループ６２を指定したワイヤレスデバイスでは（図３）、ワイヤレス通信デバイスは、他のメンバのセットと直接接続し、ボイス及びデータ通信に従事することができる。しかしながら、すべてのそのようなダイレクト通信は、グループ通信サーバ７４を通じて生じる、または、グループ通信サーバ７４の制御にあるであろう。言いかえれば、これらの通信セッションは、グループ通信サーバ７４によってサーバ調停されている(server-arbitrated)。デバイスのすべてのデータパケットは、グループ通信コンピュータデバイス７４自体を通じて移動することを必ずしも必要としておらず、グループ通信コンピュータデバイス７４は、通信を最終的には制御できなくてはならない、なぜならば、デバイス７４は、典型的には、通信グループのメンバの識別を検索することができる、および／または、通信グループのメンバの識別を認識している、または、別のコンピュータデバイスに対して通信グループ６２のメンバの識別を指図する(direct)、唯一のサーバ側８０のコンポーネントであるためである。
【００３２】
図５は、ターゲットセットのデバイス、すなわち通信グループ６２の他のメンバへのダイレクト通信を開くＰＰＴボタン１１２を備えたモバイル電話１１０である通信デバイス（オリジネーティングまたはターゲット）の一実施形態を図示しているブロック図である。ワイヤレスデバイス１１０はまた、ワイヤレスデバイス１１０のユーザに対してグラフィックディスプレイ１１４を有するものとして示されている。ワイヤレスデバイス１１０は、ボイス及びデータパケットを扱い、そして、グループ通信を含むようにワイヤレスネットワーク７０上で送信されるソフトウェアアプリケーションを受信し実行することができるコンピュータプラットフォーム１１６を含む。コンピュータプラットフォーム１１６は、他のコンポーネントの中で、アプリケーション特有集積回路（「ＡＳＩＣ」）１２２、または、他のプロセッサ、マイクロプロセッサ、論理回路、プログラマブルゲートアレイ、または、他のデータ処理デバイス、を含む。ＡＳＩＣ１２２は、ワイヤレスデバイスの製造の時にインストールされ、通常アップグレード可能ではない。ＡＳＩＣ１２２または他のプロセッサは、常駐アプリケーション環境を含むアプリケーション・プログラミング・インタフェース（「ＡＰＩ」）層１２４を実行し、そして、ＡＳＩＣ１２２上でロードされるオペレーティングシステムを含むことができる。常駐プログラムは、ワイヤレスデバイスのメモリ１１６に保持されることができる。常駐のアプリケーション環境の一例は、ワイヤレスデバイスプラットフォームのための、クァルコム社によって開発された「ワイヤレスのためのバイナリ実行時間環境(binary runtime environment for wireless)」（ＢＲＥＷ）である。
【００３３】
ここで示されるように、ワイヤレスデバイスは、グラフィックスディスプレイ１１４を備えた、モバイル電話１１０であることができ、また、例えば携帯情報端末（ＰＤＡ）、グラフィクスディスプレイ１１４を備えたページャ、また、さらにはワイヤレス通信ポータルを有する個別のコンピュータプラットフォーム１１６のような、当技術分野で知られているようなコンピュータプラットフォーム１１６を備えたいずれのワイヤレスデバイスであることができ、あるいは、ネットワークまたはインターネットに対してワイヤード接続を有することができる。さらに、メモリ１１６は、読み出し専用メモリ（ＲＯＭ）またはランダムアクセスメモリ（ＲＡＭ）、ＥＰＲＯＭ、ＥＥＰＲＯＭ、フラッシュカード、またはコンピュータプラットフォームに共通したいずれのメモリから構成されることができる。コンピュータプラットフォーム１１６はまた、メモリ１１６でアクティブに使用されないソフトウェアアプリケーションのストレージのためのローカルデータベース１１８を含むことができる。ローカルデータベース１１８は、一般的には、１以上のフラッシュメモリセルから成るが、磁気媒体、ＥＰＲＯＭ、ＥＥＰＲＯＭ、光学媒体、テープ、あるいはソフトディスクまたはハードディスクのような、当技術分野において知られているようないずれの２次的または３次的なストレージデバイスであることができる。
【００３４】
ワイヤレスデバイスの本実施形態では、コンピュータプラットフォーム１１６はまた、ワイヤレスデバイスからダイレクト通信チャネルを開くことができるダイレクト通信インタフェース１２０（例えば、ＰＰＴ呼び出しでは、ハーフデュプレクスボイス通信用）を含むことができる。ダイレクト通信インタフェース１２０はまた、ワイヤレスデバイスへ、及び、ワイヤレスデバイスから、送信されるボイス及びデータを通常実行するワイヤレスデバイスのためのスタンダード通信インタフェースの一部であることができる。ダイレクト通信インタフェース１２０は、当技術分野において知られているように、一般的に、ハードウェアから成る。
【００３５】
図６は、通信グループメンバワイヤレス通信デバイス間のグループ指図されたメディア送信(group-directed media transmission)とＰＴＴ通信の確立の一実施形態の呼び出しフローチャートである。通信しているワイヤレスデバイス、ここではＰＴＴクライアント１３２は、ＰＴＴクライアント１３８としてここで示されている通信グループ６２のターゲットデバイスでダイレクトＰＴＴ呼び出しを確立することをリクエストし、ＰＴＴ接続リクエストと共にデータセッション記述リクエストを通信する  ６００。ここにおいて使用されているように、セッション記述リクエストは、通信セッションのための１つまたは複数のターゲットデバイスに対して送信されるべきアラートデータのためのリクエストに対応する。ＰＴＴクライアント１３２がＧＣＳ１３４に対して実際のアラートデータを送信する場合、セッション記述リクエストは、アラートデータ自体に対応する。代替的に、ＰＴＴクライアント１３２がアラートデータデータベース７８で保存されたアラートデータを単に参照する場合には、セッション記述リクエストは、通信セッションについての呼び出しアナウンスメッセージと共に、ターゲットデバイス（単数または複数）に対してサーバ保存されたアラートデータを送信するリクエスト、と対応する。
【００３６】
例えば、セッション記述リクエストは、図２Ａにあるようなアラートデータフィールド３２を含む呼び出しセットアップリクエストを構成することによって、あるいは、代替的に、図２Ｂにあるようなアラートデータフィールド４２を含む呼び出しセットアップリクエストを構成することによって、呼び出しセットアップリクエスト６００と共に通信されることができる。さらなる例では、ＰＴＴクライアント１３２は、無線通信アクセスネットワーク（ＲＡＮ）でトラフィックチャネル（ＴＣＨ）を確立することができ、そして、ＲＡＮを介してＧＣＳ１３４に対して、呼び出しセットアップリクエストを送信することができる。その呼び出しセットアップリクエストは、例えば、ターゲットユーザ・アドレス、グループ・アプリケーションＩＤ、またはグループを確立するリクエスト、を含むことができる。呼び出しセットアップリクエストはまた、逆方向リンクＴＣＨ上の代わりに、ＤａｔａＯｖｅｒＳｉｇｎａｌｉｎｇ（ＤｏＳ）アクセスチャネル・メッセージとともに送信されることができる。
【００３７】
図６を参照すると、呼び出しリクエストとアラートデータを受信した後で、ＧＣＳ１３４（「ＤＣＨ１３４」）におけるディスパッチ呼び出しハンドラ(Dispatch Call Handler)（ＤＣＨ）は、ＰＴＴ呼び出しセットアップ機能６０５、６１０を実行し、ターゲットを位置づけること、呼び出し制約(call restrictions)を適用すること、そしてボコーダを選択すること、を含んでいる。さらに、ＤＣＨ１３４は、ＰＴＴ呼び出しがアラートデータで確立されているということをターゲットデバイス（例、ＰＴＴクライアント１３８）に通知する ６１５。例えば、通知６１５は、ターゲットデバイス（単数または複数）に伝えられるべきアラートデータを示しているフィールドを含むＤｏＳメッセージ内でパッケージングされたアナウンスメッセージに対応することができる。あるいは、アラートデータは、アナウンスメッセージとは別に送信されることができ、また、アナウンスメッセージから別のチャネル（例、メディアチャネル）上でも送信されることができる。別の代替的な例では、アラートデータは、アナウンスメッセージと同時に（例えば、アラートデータが実際のアナウンスメッセージに含まれるイベントにおける場合による）、または非同時に（例、アナウンスメッセージが送信された後で、アラートデータがＰＴＴクライアント１３８に送信される場合）、送信されることができる。
【００３８】
ターゲットＰＴＴクライアント１３８は、着信アナウンスとアラートデータを受信し、ターゲットＰＴＴクライアント１３８は、ＰＴＴ呼び出しに参加するのに利用可能なリソースを有するということをベリファイするであろう。ターゲットＰＴＴクライアント１３８は、十分なリソースがＰＴＴ呼び出しをサポートするのに利用可能であるということを決定する場合には、ターゲットＰＴＴクライアント１３８は、アラートデータを出力する（例、自動的にそうするように具現化される場合）６２０。ここにおける説明のために、ターゲットＰＴＴクライアント１３８が利用可能なリソースを有するということが想定される。次に、ＰＴＴクライアント１３８は、呼び出しを受諾するかどうかを決定する６２５。例えば、呼び出しメッセージ６００が、図２Ｂにあるような「強要回答(Force Answer)」フィールド５０を含んでいた場合には、ＰＴＴクライアント１３８は、ＰＴＴクライアント１３８が強要呼び出し回答をディスエイブルにしない限り、呼び出しを自動的に受諾する。そうでない場合には、強要された回答が呼び出しアナウンスメッセージによってリクエストされない場合には、ＰＴＴクライアント１３８のユーザは、呼び出しを受諾するかどうかを決定する６２５。いずれの場合も、ＰＴＴクライアント１３８が６２５で呼び出しを受諾することを決定するということを想定し、それによって、呼び出し受諾メッセージを送信する ６３０。
【００３９】
いったん呼び出し受諾メッセージが、ＤＣＨ１３４またはＧＣＳ１３４で、ターゲットＰＴＴクライアント１３８から受信されると、ＢＳＣ１３６は、十分なリソースが通信セッションをサポートするのに利用可能かどうかを決定する ６３５。十分なリソースが利用可能であると決定される場合には、ＢＳＣ１３６は、ターゲットワイヤレス通信デバイスのステータスを示しているＤＣＨ１３４に発言権認可メッセージ(floor grant message)を送信する ６４０。ＤＣＨ１３４は、ターゲットデバイスが利用可能であるかを決定し６４５、もしそうである場合には、オリジネーティングＰＴＴクライアント１３２に対して発言権を送信し６５０、そしてそれは、呼び出しが確立されているということと、ＰＴＴクライアント１３２が話すことを開始することができる（しばしば、デバイスのユーザに対してオーディブルな「ビープ音」を用いる）ということを示す。ＰＴＴクライアント１３２は、発言権許可メッセージを認め、ＰＴＴ通信のためにメディアに転送することを始める ６５５。ＤＣＨ１３４は、通信セッションにジョインした各ターゲットデバイス（例、ＰＴＴクライアント１３８等）への送信のために ６６５、ＰＴＴクライアント１３２からメディアを処理し、ＢＳＣ１３６に対しメディアを転送する ６６０。
【００４０】
図７は、ターゲット通信デバイス（モバイル電話１２）に対して初期通信ブリッジ試み（すなわち、通信セッション開始試み）と共にアラートデータを送っている、オリジネーティング通信デバイス（モバイル電話１０）のプロセスの一実施形態のフローチャートである。リクエストは、ターゲットデバイスとの通信をブリッジすることを試みるために受信され（例、モバイル電話１０のユーザがＰＴＴボタンを押す、等）１４０、そのあとで、オリジネーティング通信デバイスは、ＧＣＳ１３４に対して呼び出しメッセージを送信する １４２。例えば、初期ブリッジ試み１４２は、ＴＣＨをブリングアップし、そのあとで、サーバ調停された通信セッション(server-arbitrated communication session)を開始するためにＧＳＣ１３４に対して呼び出しメッセージを送信する、モバイル電話１０に対応することができる。セッション記述リクエストは、アラートデータがターゲット通信デバイス（単数または複数）へと送信されるべきであるということをリクエストするために、ＧＳＣ１３４へと送信される １４４。上述されているように、セッション記述リクエストは、ターゲット通信デバイス（単数または複数）に対して転送されるべき実際のアラートデータを含むことができる、または、代替的にアラートデータベース７８で保存されたアラートデータを参照することができる。さらに、セッション記述リクエストは、初期ブリッジ(bridge)の試みと関連づけられた呼び出しメッセージ内に含まれることができる、または、ＧＳＣ１３４に別々に送信されることができる １４２。ターゲット通信デバイス（単数または複数）がターゲット通信デバイス（単数または複数）のユーザ（単数または複数）に対して着信している通信試みの通知（すなわち、呼び出しアナウンスメッセージ）と共に、アラートデータを出力するのに十分な時間でアラートデータを受信することができるかぎり、セッション記述リクエスト及び呼び出しメッセージが他のシーケンスにおいて実行されることができるということに留意されるべきである。さらに、上述されているように、オリジネーティング通信デバイスがアラートデータベース７８と関連して機能するように具現化される場合には、ステップ１４４は、ターゲット通信デバイス（単数または複数）にアラートデータを送信することをアラートデータベース７８に指図する。したがって、アラートデータは、オリジネーティング通信デバイスから実際に送信される必要はないが、少なくとも１つの実施形態では、オリジネーション通信デバイスは、むしろ、ターゲット通信デバイス（単数または複数）に対して送信されるべきアラートデータデータベース７８で保存されるアラートデータのインジケーションを提供することができる。
【００４１】
決定１４６で示されているように、ステップ１４４でアラートデータを送信した後で、通信がブリッジされたかどうかについての決定が行われる（例、呼び出しが応えられたまたは受諾されたか、ＰＴＴボイスストリームが配信されたか等）。通信が決定１４６でブリッジされなかった場合には、失敗した通信は出力され、終了１４８で示されているように、プロセスは終了する。そうでない場合、通信が決定１４６で通信にブリッジされる場合には、通信はブリッジされ、ステップ１５０で示されているように、プロセスは、オリジネーション通信デバイスの通信制御にハンドオーバーされる。あるいは、ＰＴＴ通信として具現化される場合、いったん、ＰＴＴボイスストリームの配信が決定１４６で達成されると、プロセスは、現在オープンの通信チャネルがないので、ステップ１５０で終了する。
【００４２】
図８は、図７のオリジネーティング通信デバイスとインタラクトしている、ターゲットワイヤレス通信デバイス（例、モバイル電話１２）におけるプロセスの一実施形態のフローチャートである。着信している通信リクエスト（例、アナウンスメッセージ）はステップ１６０で受信される。ターゲットワイヤレス通信デバイスは、決定１６２（例、呼び出しアナウンスメッセージ内で、または、呼び出しアナウンスメッセージとは別に）で示されているような、着信している通信リクエストと関連づけてアラートデータが受信されるかどうかについての決定を行う。例えば、呼び出しアナウンスメッセージは、第１に受信されることができるので、呼び出し通知（例、リングトーン）は、ターゲットワイヤレス通信デバイス上で再生する。この時点では、アラートデータは、受信されることができる（例、メディアチャネルのような個別チャネル上で）。アラートデータは、例えば、アナウンスされている呼び出しの性質を説明するさらなるインジケーション（例、別個のリングトーン、メッセージ、ピクチャ、等）であることができる。アラートデータが決定１６２で存在する場合、アラートデータは、１６４で示されているように、ターゲット通信デバイスで出力される（例、例えばオーディオフォーマットまたはビジュアルフォーマットでディスプレイまたは再生される）。そうでない場合には、アラートデータが、決定１６２で、存在しなかった場合、または、ステップ１６４のいずれのアラートデータの出力の後で、決定１６６で示されているように、呼び出し受諾を強要するリクエストがアナウンスメッセージ１６０内に存在しているかについての決定が行われる。
【００４３】
決定１６６で、呼び出し受諾を強要するリクエストが存在している場合には、ターゲット通信デバイスは、呼び出しを受諾することを試みるであろう（例えば、アナウンスＡＣＫ（受諾）メッセージを送信することによって）１６８。そうでない場合には、１６６で呼び出し受諾を強要するリクエストがない場合には、または、試みのなされた強要されたジョインダが１６８で呼び出した後で(after the attempted forced joinder to the call)、決定１７０で示されているように、アナウンスメッセージに自発的に回答することによってまたは、１６８で強要することから、通信がブリッジされたかについての決定がなされる（すなわち、ターゲットデバイスが呼び出しにジョインしたかどうか）。通信セッションが決定１７０でジョインされない場合には、プロセスは、失敗した通信エラーを出力し、終了１７２で示されているように終了する。そうでない場合には、通信セッションが決定１７０でジョインされる場合には、通信セッションは、１７４で示されているように、ターゲットワイヤレス通信デバイスの通信制御にハンドオーバーされる。代替的に、望まれるシンクロナス通信がＰＴＴ通信である場合、リターン・デュプレクス通信は、決定１６６でまだ強要されることができ、ステップ１７４は、ハーフデュプレクスチャネルがフルデュプレクス通信チャネルへと代わる場合にはまだ必要であることができる。
【００４４】
したがって、オリジネーティング通信デバイス６４から１つまたは複数のターゲット通信デバイス（例えばページャ６６、ＰＤＡ６８）へのシンクロナス通信（ボイス呼び出し、ＰＴＴ通信、データ接続、及び同様なもの）をブリッジすることを試みるステップを用いて、通信セッションのセットアップの間に、オリジネーティング通信デバイス（例えばモバイル電話６４）からターゲット通信デバイス（例えばＰＤＡ６８）に対してアラート電話を通信し、そのあとで、シンクロナス通信をブリッジすることを試みるときに、セッションアービトレータ(session arbitrator)から１つまたは複数のターゲット通信デバイスへとアラートデータを選択的に送信し、そして、オリジネーティング通信デバイスからの初期通信ブリッジ試みにおけるアラートデータの受信のときに、ターゲット通信デバイスのユーザに対してアラートデータを出力するための発明方法をシステム６０が提供するということがわかる。オリジネーティング通信デバイスとターゲット通信デバイスは、モバイル電話１０および１２のようなワイヤレス通信デバイスである場合、シンクロナス通信をブリッジすることを試みることは、電話呼び出しにとって必要なことであるように、ボイストラヒックチャネルのようなワイヤレス通信チャネルをブリッジすることを試みることである。図３と図４で示されているようにＰＰＴ通信システムで具現化される場合には、シンクロナス通信をブリッジすることを試みることは、ハーフデュプレクス・プッシュ・ツー・トーク通信の試みである。
【００４５】
アラートデータがビデオメディアを含む場合には、アラートデータを出力することは、ターゲット通信デバイスのディスプレイ（モバイルデバイス１２）上でそのユーザに対してディスプレイすることを含む。アラートデータがオーディオメディアを含む場合には、アラートデータを出力することは、ターゲット通信デバイス（モバイルデバイス１２）のスピーカ上でそのユーザに対してメディアを再生することを含む。図１で示されているように、アラートデータが、オリジネーティング通信デバイスから送られたテキストを含む場合には、アラートデータを出力することは、ターゲット通信デバイス（モバイル電話１２）のディスプレイ２０上でそのユーザに対してテキストをディスプレイすることを含む。
【００４６】
したがって、本発明の実施形態では、ターゲット通信デバイスは、オリジネーティング通信デバイスからの初期通信ブリッジ試みのときに、アラートデータの受信のときにターゲットデバイスのエンドユーザにアラートデータを出力するように強要されることができる。対照的に、従来のターゲット通信デバイスは、リングトーンを典型的には再生し、ターゲットユーザが呼び出しを受諾しないと決定する場合には、いずれの関連メディアは、受信されない、または、ターゲット通信デバイスにおいて出力しない。本発明の実施形態はまた、例えば図２ＢのデータフレームＢの受信を通じて、そして、図８のプロセスを実行するターゲット通信デバイスにおいて、ターゲット通信デバイスに対して、オリジネーティング通信デバイスにシンクロナス通信をブリッジするように（すなわち、呼び出しを受諾する）強要することを含むことができる。図３と図４で示されているように、本発明の実施形態は、オリジネーティング通信デバイスからの初期通信ブリッジ試みのときに、アラートデータデータベース７８のような別のコンピュータデバイスからターゲット通信デバイスに対してアラートデータを送ることを含むことができる。
【００４７】
当業者は、情報と信号は、様々な異なる技術及び技法のいずれかを使用して表わされることができるということを理解するであろう。例えば、上記の説明の全体にわたって参照されることができる、データ、命令、コマンド、情報、信号、ビット、シンボル、及びチップは、電圧、電流、電磁波、磁場あるいは磁粒子、光場あるいは光学粒子、あるいはそれらのいずれの組み合わせ、によって表わされることができる。
【００４８】
当業者は、様々な説明のための論理ブロック、モジュール、回路、および、ここに開示された実施形態に関連して説明されたアルゴリズムステップは、電子ハードウェア、コンピュータソフトウェアあるいは両方の組合せとしてインプリメントされることができる、ということをさらに理解するであろう。ハードウェアとソフトウェアのこの互換性を明瞭に説明するために、様々な説明のためのコンポーネント、ブロック、モジュール、回路およびステップが、一般に、それらの機能性という観点から、上記に説明されてきた。そのような機能性が、ハードウェアあるいはソフトウェアとしてインプリメントされるかどうかは、特定のアプリケーションと全体のシステムに課された設計制約(design constraints)に依存する。熟練職人は、各特定のアプリケーションについての様々な方法で、説明された機能性をインプリメントすることができるが、そのようなインプリメンテーションの決定は、本発明の範囲からの逸脱を生じさせるものとして解釈されるべきでない。
【００４９】
ここに開示される実施形態に関連して説明された、方法、シーケンス、及び／または、アルゴリズムは、直接ハードウェアにおいて、プロセッサによって実行されるソフトウェアにおいて、または、それら２つの組み合わせにおいて、具現化されることができる。ソフトウェアモジュール、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭあるいは当技術分野において知られている記憶媒体のいずれの他の形態、において存在する(reside)ことができる。例示的な記憶媒体は、プロセッサに結合されるので、プロセッサが記憶媒体から情報を読み取ることができ、また記憶媒体に情報を書き込むことができる。あるいは、記憶媒体は、プロセッサに組み込まれていてもよい。
【００５０】
以上の開示は、本発明の説明のための実施形態を示しているが、様々な変更及び修正が、特許請求項の範囲によって定義されるような、発明の範囲から逸脱することなく、ここにおいてなされることができるであろうということに留意されるべきである。ここにおいて記載される本発明の実施形態にしたがった、方法クレームの、機能、ステップ及び/または動作は、いずれの具体的な順序で実行される必要はない。さらに、本発明の構成要素は、単数形で記載または特許請求されているかもしれないが、単数形への限定が明示的に述べられていない限り、複数形が意図されている。
以下に、本願発明の当初の［特許請求の範囲］に記載された発明を付記する。
［１］
ワイヤレス通信システム内のオリジネーティング通信デバイスにおいて、与えられたサーバによって調停された通信セッションをセットアップする方法であって、
少なくとも１つのターゲット通信デバイスとの通信セッションを開始するために、前記与えられたサーバに対して呼び出しリクエストを送信することと；
前記呼び出しリクエストと共に、セッション記述リクエストを送信することと、なお、前記セッション記述リクエストは、前記少なくとも１つのターゲット通信デバイスに対して前記通信セッションをアナウンスするための呼び出しアナウンスメッセージに加え、前記与えられたサーバから前記少なくとも１つのターゲット通信デバイスに対して送信されるべきアラートデータをリクエストし、前記アラートデータは、前記通信セッションの性質を説明している；
を備えている方法。
［２］
前記通信セッションは、ハーフデュプレクス通信セッション、フルデュプレクス通信セッション、ボイス・オーバ・インターネットプロトコル（ＶｏＩＰ）通信セッション、及び／または、プッシュ・ツー・トーク（ＰＴＴ）通信セッションである、［１］に記載の方法。
［３］
前記セッション記述リクエストは、（ｉ）前記呼び出しアナウンスメッセージと共に前記少なくとも１つのターゲット通信デバイスに対して送信されるべき前記アラートデータを含む、または、（ｉｉ）前記呼び出しアナウンスメッセージと共に、前記少なくとも１つのターゲット通信デバイスに対して前記アラートデータは送信されるべきであるということをリクエストするために、前記与えられたサーバにアクセス可能な前記アラートデータを参照する、［１］に記載の方法。
［４］
前記アラートデータは、テキストメディア、オーディオメディア、及び／または、ビデオメディア、に対応する、［１］に記載の方法。
［５］
前記アラートデータは、前記少なくとも１つのターゲット通信デバイスのユーザが前記呼び出しアナウンスメッセージを受諾することを容易にするように構成される、［１］に記載の方法。
［６］
前記少なくとも１つのターゲット通信デバイスに対して前記呼び出しアナウンスメッセージを受諾するように前記与えられたサーバが強要することをリクエストする、前記呼び出しリクエストメッセージを構成すること、
をさらに備えている［１］に記載の方法。
［７］
ワイヤレス通信システム内で、与えられたサーバによって調停された通信セッションをセットアップする方法であって、
少なくとも１つのターゲット通信デバイスとの通信セッションを開始するために、オリジネーティング通信デバイスから、呼び出しリクエストを受信することと；
前記呼び出しリクエストと共に、セッション記述リクエストを受信することと、なお、前記セッション記述リクエストは、前記少なくとも１つのターゲット通信デバイスに対して前記通信セッションをアナウンスするための呼び出しアナウンスメッセージに加え、前記与えられたサーバから前記少なくとも１つのターゲット通信デバイスに対して送信されるべきアラートデータをリクエストし、前記アラートデータは、前記通信セッションの性質を説明している；
前記少なくとも１つのターゲット通信デバイスに対して前記呼び出しアナウンスメッセージと前記アラートデータとを送信することと；
を備えている方法。
［８］
前記通信セッションは、ハーフデュプレクス通信セッション、フルデュプレクス通信セッション、ボイス・オーバ・インターネットプロトコル（ＶｏＩＰ）通信セッション及び／またはプッシュ・ツー・トーク（ＰＴＴ）通信セッションである、［７］に記載の方法。
［９］
前記アラートデータは、テキストメディア、オーディオメディア、及び／または、ビデオメディア、に対応する、［７］に記載の方法。
［１０］
前記セッション記述リクエストは、（ｉ）前記呼び出しアナウンスメッセージと共に前記少なくとも１つのターゲット通信デバイスに対して送信されるべき前記アラートデータを含む、または、（ｉｉ）前記呼び出しアナウンスメッセージと共に、前記少なくとも１つのターゲット通信デバイスに対して前記アラートデータは送信されるべきであるということをリクエストするために、前記与えられたサーバにアクセス可能な前記アラートデータを参照する、［７］に記載の方法。
［１１］
前記セッション記述リクエストが前記与えられたサーバにアクセス可能な前記アラートデータを参照する場合には、
ネットワークストレージロケーションから、前記アラートデータを検索すること、
をさらに備えている、［１０］に記載の方法。
［１２］
前記アラートデータは、呼び出しアナウンスメッセージ内に含まれない、［７］に記載の方法。
［１３］
前記送信するステップは、前記呼び出しアナウンスメッセージが送信された後で、前記アラートデータを送信する、［１２］に記載の方法。
［１４］
前記送信するステップは、第１のチャネル上で前記アラートデータを、そして、第２のチャネル上で前記呼び出しアナウンスメッセージを、送信する、［７］に記載の方法。
［１５］
前記第１のチャネルは、メディアチャネルに対応する、［１４］に記載の方法。
［１６］
前記送信するステップは、同時に、前記アラートデータと前記呼び出しアナウンスメッセージを送信する、［７］に記載の方法。
［１７］
前記アラートデータは、前記呼び出しアナウンスメッセージ内に含まれる、［１６］に記載の方法。
［１８］
前記アラートデータは、前記少なくとも１つのターゲット通信デバイスのユーザが前記呼び出しアナウンスメッセージを受諾することを容易にするように構成される、［７］に記載の方法。
［１９］
前記少なくとも１つのターゲット通信デバイスに対して前記呼び出しアナウンスメッセージを受諾するように前記与えられたサーバが強要することをリクエストする、前記呼び出しリクエストメッセージが構成される場合には、
前記少なくとも１つのターゲット通信デバイスに対して前記呼び出しアナウンスメッセージを受諾するように強要するように、前記呼び出しアナウンスメッセージを構成すること、
をさらに備えている［７］に記載の方法。
［２０］
ワイヤレス通信システム内のターゲット通信デバイスにおいて、与えられたサーバによって調停される通信セッションをセットアップする方法であって、
前記与えられたサーバから、オリジネーティング通信デバイスによってオリジネートされた通信セッションをアナウンスする、呼び出しアナウンスメッセージを受信することと；
前記アナウンスされた通信セッションと関連づけられたアラートデータを、前記呼び出しアナウンスメッセージと共に、受信することと、なお、前記アラートデータは、前記アナウンスされた通信セッションの性質を説明している；
前記アナウンスされた通信セッションを前記ターゲット通信デバイスのユーザに通知することと；
前記通知と関連して前記ターゲット通信デバイスの前記ユーザに対して前記アラートデータを出力することと；
を備えている方法。
［２１］
前記通信セッションは、ハーフデュプレクス通信セッション、フルデュプレクス通信セッション、ボイス・オーバ・インターネットプロトコル（ＶｏＩＰ）通信セッション、及び／または、プッシュ・ツー・トーク（ＰＴＴ）通信セッションである、［２０］に記載の方法。
［２２］
前記アラートデータは、テキストメディア、オーディオメディア、及び／または、ビデオメディア、に対応する、［２０］に記載の方法。
［２３］
前記アラートデータは、呼び出しアナウンスメッセージ内に含まれない、［２０］に記載の方法。
［２４］
前記アラートデータは、前記呼び出しアナウンスメッセージの後で受信される、［２３］に記載の方法。
［２５］
前記アラートデータは、第１のチャネル上で受信され、前記呼び出しアナウンスメッセージは、第２のチャネル上で受信される、［２０］に記載の方法。
［２６］
前記第１のチャネルは、メディアチャネルに対応する、［２５］に記載の方法。
［２７］
前記アラートデータと前記呼び出しアナウンスメッセージは、同時に受信される、［２０］に記載の方法。
［２８］
前記アラートデータは、呼び出しアナウンスメッセージ内に含まれる、［２７］に記載の方法。
［２９］
前記アラートデータは、前記ターゲット通信デバイスのユーザが前記呼び出しアナウンスメッセージを受諾することを容易にするように構成されている、［２０］に記載の方法。
［３０］
前記ターゲット通信デバイスに対して前記呼び出しアナウンスメッセージを受諾するように強要するように、前記呼び出しアナウンスメッセージが構成される場合には、
前記呼び出しアナウンスメッセージを自動的に受諾すること、
をさらに備えている、［２０］に記載の方法。
［３１］
ワイヤレス通信システム内で、与えられたサーバによって調停された通信セッションを開始するように構成されたオリジネーティング通信デバイスであって、
少なくとも１つのターゲット通信デバイスとの通信セッションを開始するために、前記与えられたサーバに対して呼び出しリクエストを送信するための手段と；
前記呼び出しリクエストと共に、セッション記述リクエストを送信するための手段と、なお、前記セッション記述リクエストは、前記少なくとも１つのターゲット通信デバイスに対して前記通信セッションをアナウンスするための呼び出しアナウンスメッセージに加え、前記与えられたサーバから前記少なくとも１つのターゲット通信デバイスに対して送信されるべきアラートデータをリクエストし、前記アラートデータは、前記通信セッションの性質を説明している；
を備えている通信デバイス。
［３２］
前記セッション記述リクエストは、（ｉ）前記呼び出しアナウンスメッセージと共に前記少なくとも１つのターゲット通信デバイスに対して送信されるべき前記アラートデータを含む、または、（ｉｉ）前記呼び出しアナウンスメッセージと共に、前記少なくとも１つのターゲット通信デバイスに対して前記アラートデータは送信されるべきであるということをリクエストするために、前記与えられたサーバにアクセス可能な前記アラートデータを参照する、［３１］に記載の通信デバイス。
［３３］
前記少なくとも１つのターゲット通信デバイスに対して前記呼び出しアナウンスメッセージを受諾するように前記与えられたサーバが強要することをリクエストする、前記呼び出しリクエストメッセージを構成するための手段と、
をさらに備えている［３１］に記載の通信デバイス。
［３４］
ワイヤレス通信システム内で、通信セッションを調停するように構成されたサーバであって、
少なくとも１つのターゲット通信デバイスとの通信セッションを開始するために、オリジネーティング通信デバイスから、呼び出しリクエストを受信するための手段と；
前記呼び出しリクエストと共に、セッション記述リクエストを受信するための手段と、なお、前記セッション記述リクエストは、前記少なくとも１つのターゲット通信デバイスに対して前記通信セッションをアナウンスするための呼び出しアナウンスメッセージに加え、前記サーバから前記少なくとも１つのターゲット通信デバイスに対して送信されるべきアラートデータをリクエストし、前記アラートデータは、前記通信セッションの性質を説明している；
前記少なくとも１つのターゲット通信デバイスに対して前記呼び出しアナウンスメッセージと前記アラートデータとを送信するための手段と、
を備えているサーバ。
［３５］
前記セッション記述リクエストは、（ｉ）前記呼び出しアナウンスメッセージと共に前記少なくとも１つのターゲット通信デバイスに対して送信されるべき前記アラートデータを含む、または、（ｉｉ）前記呼び出しアナウンスメッセージと共に、前記少なくとも１つのターゲット通信デバイスに対して前記アラートデータは送信されるべきであるということをリクエストするために、前記サーバにアクセス可能な前記アラートデータを参照する、［３４］に記載のサーバ。
［３６］
前記少なくとも１つのターゲット通信デバイスに対して前記呼び出しアナウンスメッセージを受諾するように前記サーバが強要することをリクエストする、前記呼び出しリクエストメッセージが構成される場合には、
前記少なくとも１つのターゲット通信デバイスに対して前記呼び出しアナウンスメッセージを受諾するように強要するように、前記呼び出しアナウンスメッセージを構成するための手段、
をさらに備えている、［３４］に記載のサーバ。
［３７］
ワイヤレス通信システム内で、与えられたサーバによって調停される通信セッションに参加するように構成されたターゲット通信デバイスであって、
前記与えられたサーバから、オリジネーティング通信デバイスによってオリジネートされた通信セッションをアナウンスする、呼び出しアナウンスメッセージを受信するための手段と；
前記アナウンスされた通信セッションと関連づけられたアラートデータを、前記呼び出しアナウンスメッセージと共に、受信するための手段と、なお、前記アラートデータは、前記アナウンスされた通信セッションの性質を説明している；
前記アナウンスされた通信セッションを前記ターゲット通信デバイスのユーザに通知するための手段と；
前記通知と関連して前記ターゲット通信デバイスの前記ユーザに対して前記アラートデータを出力するための手段と；
を備えているターゲット通信デバイス。
［３８］
前記１つのターゲット通信デバイスに対して前記呼び出しアナウンスメッセージを受諾するように強要するように、前記呼び出しアナウンスメッセージが構成される場合には、
前記呼び出しアナウンスメッセージを自動的に受諾するための手段、
をさらに備えている、［３７］に記載の通信デバイス。
［３９］
ワイヤレス通信システム内で、与えられたサーバによって調停された通信セッションを開始するように構成されたオリジネーティング通信デバイスであって、
少なくとも１つのターゲット通信デバイスとの通信セッションを開始するために、前記与えられたサーバに対して呼び出しリクエストを送信するように構成された論理と；
前記呼び出しリクエストと共に、セッション記述リクエストを送信するように構成された論理と、なお、前記セッション記述リクエストは、前記少なくとも１つのターゲット通信デバイスに対して前記通信セッションをアナウンスするための呼び出しアナウンスメッセージに加え、前記与えられたサーバから前記少なくとも１つのターゲット通信デバイスに対して送信されるべきアラートデータをリクエストし、前記アラートデータは、前記通信セッションの性質を説明している；
を備えている通信デバイス。
［４０］
前記セッション記述リクエストは、（ｉ）前記呼び出しアナウンスメッセージと共に前記少なくとも１つのターゲット通信デバイスに対して送信されるべき前記アラートデータを含む、または、（ｉｉ）前記呼び出しアナウンスメッセージと共に、前記少なくとも１つのターゲット通信デバイスに対して前記アラートデータは送信されるべきであるということをリクエストするために、前記与えられたサーバにアクセス可能な前記アラートデータを参照する、［３９］に記載の通信デバイス。
［４１］
前記少なくとも１つのターゲット通信デバイスに対して前記呼び出しアナウンスメッセージを受諾するように前記与えられたサーバが強要することをリクエストする、前記呼び出しリクエストメッセージを構成するように構成された論理、
をさらに備えている［３９］に記載の通信デバイス。
［４２］
ワイヤレス通信システム内で通信セッションを調停するように構成されたサーバであって、
少なくとも１つのターゲット通信デバイスとの通信セッションを開始するために、オリジネーティング通信デバイスから、呼び出しリクエストを受信するように構成された論理と；
前記呼び出しリクエストと共に、セッション記述リクエストを受信するように構成された論理と、なお、前記セッション記述リクエストは、前記少なくとも１つのターゲット通信デバイスに対して前記通信セッションをアナウンスするための呼び出しアナウンスメッセージに加え、前記サーバから前記少なくとも１つのターゲット通信デバイスに対して送信されるべきアラートデータをリクエストし、前記アラートデータは、前記通信セッションの性質を説明している；
前記少なくとも１つのターゲット通信デバイスに対して前記呼び出しアナウンスメッセージと前記アラートデータを送信するように構成された論理と；
を備えているサーバ。
［４３］
前記セッション記述リクエストは、（ｉ）前記呼び出しアナウンスメッセージと共に前記少なくとも１つのターゲット通信デバイスに対して送信されるべき前記アラートデータを含む、または、（ｉｉ）前記呼び出しアナウンスメッセージと共に、前記少なくとも１つのターゲット通信デバイスに対して前記アラートデータは送信されるべきであるということをリクエストするために、前記サーバにアクセス可能な前記アラートデータを参照する、［４２］に記載のサーバ。
［４４］
前記少なくとも１つのターゲット通信デバイスに対して前記呼び出しアナウンスメッセージを受諾するように前記サーバが強要することをリクエストする、前記呼び出しリクエストメッセージが構成される場合には、
前記少なくとも１つのターゲット通信デバイスに対して前記呼び出しアナウンスメッセージを受諾するように強要するように、前記呼び出しアナウンスメッセージを構成するように構成された論理、
をさらに備えている、［４２］に記載のサーバ。
［４５］
ワイヤレス通信システム内の与えられたサーバによって調停される通信セッションに参加するように構成されたターゲット通信デバイスであって、
前記与えられたサーバから、オリジネーティング通信デバイスによってオリジネートされた通信セッションをアナウンスする、呼び出しアナウンスメッセージを受信するように構成された論理と；
前記アナウンスされた通信セッションと関連づけられたアラートデータを、前記呼び出しアナウンスメッセージと共に、受信するように構成された論理と、なお、前記アラートデータは、前記アナウンスされた通信セッションの性質を説明している；
前記アナウンスされた通信セッションを前記ターゲット通信デバイスのユーザに通知するように構成された論理と；
前記通知と関連して前記ターゲット通信デバイスの前記ユーザに対して前記アラートデータを出力するように構成された論理と；
を備えている通信デバイス。
［４６］
前記１つのターゲット通信デバイスに対して前記呼び出しアナウンスメッセージを受諾するように強要するように、前記呼び出しアナウンスメッセージが構成される場合には、
前記呼び出しアナウンスメッセージを自動的に受諾するように構成された論理、
をさらに備えている、［４５］に記載の通信デバイス。
［４７］
符号化された命令を含んでいるコンピュータ可読記憶媒体であって、前記命令は、ワイヤレス通信システム内で、与えられたサーバによって調停された通信セッションを開始するように構成されたオリジネーティング通信デバイスによって実行されるときに、前記オリジネーティング通信デバイスにオペレーションを実行させ、前記命令は、
少なくとも１つのターゲット通信デバイスとの通信セッションを開始するために、前記与えられたサーバに対して呼び出しリクエストを送信するプログラムコードと；
前記呼び出しリクエストと共に、セッション記述リクエストを送信するプログラムコードと、なお、前記セッション記述リクエストは、前記少なくとも１つのターゲット通信デバイスに対して前記通信セッションをアナウンスするための呼び出しアナウンスメッセージに加え、前記与えられたサーバから前記少なくとも１つのターゲット通信デバイスに対して送信されるべきアラートデータをリクエストし、前記アラートデータは、前記通信セッションの性質を説明している；
を備えている、
コンピュータ可読記憶媒体。
［４８］
前記セッション記述リクエストは、（ｉ）前記呼び出しアナウンスメッセージと共に前記少なくとも１つのターゲット通信デバイスに対して送信されるべき前記アラートデータを含む、または、（ｉｉ）前記呼び出しアナウンスメッセージと共に、前記少なくとも１つのターゲット通信デバイスに対して前記アラートデータは送信されるべきであるということをリクエストするために、前記与えられたサーバにアクセス可能な前記アラートデータを参照する、［４７］に記載のコンピュータ可読記憶媒体。
［４９］
前記少なくとも１つのターゲット通信デバイスに対して前記呼び出しアナウンスメッセージを受諾するように前記与えられたサーバが強要することをリクエストする、前記呼び出しリクエストメッセージを構成するプログラムコード、
をさらに備えている［４７］に記載のコンピュータ可読記憶媒体。
［５０］
符号化された命令を含んでいるコンピュータ可読記憶媒体であって、前記命令は、ワイヤレス通信システム内の通信セッションを調停するように構成されたサーバによって実行されるときに、前記サーバにオペレーションを実行させ、前記命令は、
少なくとも１つのターゲット通信デバイスとの通信セッションを開始するために、オリジネーティング通信デバイスから、呼び出しリクエストを受信するプログラムコードと；
前記呼び出しリクエストと共に、セッション記述リクエストを受信するプログラムコードと、なお、前記セッション記述リクエストは、前記少なくとも１つのターゲット通信デバイスに対して前記通信セッションをアナウンスするための呼び出しアナウンスメッセージに加え、前記サーバから前記少なくとも１つのターゲット通信デバイスに対して送信されるべきアラートデータをリクエストし、前記アラートデータは、前記通信セッションの性質を説明している；
前記少なくとも１つのターゲット通信デバイスに対して前記呼び出しアナウンスメッセージと前記アラートデータを送信するプログラムコードと；
を備えている、
コンピュータ可読記憶媒体。
［５１］
前記セッション記述リクエストは、（ｉ）前記呼び出しアナウンスメッセージと共に前記少なくとも１つのターゲット通信デバイスに対して送信されるべき前記アラートデータを含む、または、（ｉｉ）前記呼び出しアナウンスメッセージと共に、前記少なくとも１つのターゲット通信デバイスに対して前記アラートデータは送信されるべきであるということをリクエストするために、前記サーバにアクセス可能な前記アラートデータを参照する、［５０］に記載のコンピュータ可読記憶媒体。
［５２］
前記少なくとも１つのターゲット通信デバイスに対して前記呼び出しアナウンスメッセージを受諾するように前記サーバが強要することをリクエストする、前記呼び出しリクエストメッセージが構成される場合には、
前記少なくとも１つのターゲット通信デバイスに対して前記呼び出しアナウンスメッセージを受諾するように強要するように、前記呼び出しアナウンスメッセージを構成するプログラムコード、
をさらに備える、［５０］に記載のコンピュータ可読記憶媒体。
［５３］
符号化された命令を含んでいるコンピュータ可読記憶媒体であって、前記命令は、ワイヤレス通信システム内で、与えられたサーバによって調停された通信セッションに参加するように構成されたターゲット通信デバイスによって実行されるとき、前記ターゲット通信デバイスにオペレーションを実行させ、前記命令は、
前記与えられたサーバから、オリジネーティング通信デバイスによってオリジネートされた通信セッションをアナウンスする、呼び出しアナウンスメッセージを受信するプログラムコードと；
前記アナウンスされた通信セッションと関連づけられたアラートデータを、前記呼び出しアナウンスメッセージと共に、受信するプログラムコードと、なお、前記アラートデータは、前記アナウンスされた通信セッションの性質を説明している；
前記アナウンスされた通信セッションを前記ターゲット通信デバイスのユーザに通知するプログラムコードと；
前記通知と関連して前記ターゲット通信デバイスの前記ユーザに対して前記アラートデータを出力するプログラムコードと；
を備えている、コンピュータ可読記憶媒体。
［５４］
前記１つのターゲット通信デバイスに対して前記呼び出しアナウンスメッセージを受諾するように強要するように、前記呼び出しアナウンスメッセージが構成される場合には、
前記呼び出しアナウンスメッセージを自動的に受諾するプログラムコード、
をさらに備えている、［５３］に記載のコンピュータ可読記憶媒体。
【図１】
0005607035.tif 000002
【図２Ａ】
0005607035.tif 000003
【図２Ｂ】
0005607035.tif 000004
【図３】
0005607035.tif 000005
【図４】
0005607035.tif 000006
【図５】
0005607035.tif 000007
【図６】
0005607035.tif 000008
【図７】
0005607035.tif 000009
【図８】
0005607035.tif 000010